(57)【要約】【課題】窓の採光面積が大きく、かつ施工性に優れた額縁構造体及び二重窓構造体を提供する。【解決手段】本発明によれば、障子２０、２６のレール５２、５４を額縁２８に備えている。すなわち、窓枠を省き、窓枠に本来備えられているレール５２、５４を額縁２８に備えた。これにより、窓枠を備えた額縁構造体及び二重窓構造体と比較して見付け寸法を小さくできる。よって、窓の採光面積を大きくとることができるので、眺望性が良好となる。また、窓枠を使用しないので部材点数を削減でき、かつ額縁２８に窓枠を設置する作業が無くなるので施工性も向上する。【選択図】図１
2014201995.tif 000002
【特許請求の範囲】
【請求項１】
建築物の窓用開口部に設置される額縁に、前記窓用開口部に備えられる窓の開閉用レールが備えられたことを特徴とする額縁構造体。
【請求項２】
前記額縁は、前記建築物の躯体である窓台に、直接又は中間部材を介して間接的に載置される請求項１に記載の額縁構造体。
【請求項３】
前記額縁が樹脂製である請求項１又は２に記載の額縁構造体。
【請求項４】
前記額縁の内部には、複数の空間部が隔壁を介して備えられる請求項３に記載の額縁構造体。
【請求項５】
建築物の窓用開口部に備えられる外窓と、前記窓用開口部に備えられるとともに前記外窓に対して前記建築物の室内側に備えられる内窓と、を備えた二重窓構造体において、
前記窓用開口部の前記建築物の室内側に設置される額縁に、前記内窓の開閉用レールが備えられたことを特徴とする二重窓構造体。
【請求項６】
建築物の窓用開口部に備えられる外窓と、前記窓用開口部に備えられるとともに前記外窓に対して前記建築物の室内側に備えられる内窓とを備えた二重窓構造体において、
前記外窓を支持する外窓枠に取り付けられるとともに前記建築物の室内側に備えられる額縁に、前記内窓の開閉用レールが備えられたことを特徴とする二重窓構造体。
【請求項７】
建築物の窓用開口部に備えられる外窓と、前記窓用開口部に備えられるとともに前記外窓に対して前記建築物の室内側に備えられる内窓とを備えた二重窓構造体において、
前記外窓を支持する外窓枠に一体化されるとともに前記建築物の室内側に備えられる額縁に、前記内窓の開閉用レールを備えたことを特徴とする二重窓構造体。
【請求項８】
前記外窓及び前記内窓は、ガラス板とガラス板の四辺に取り付けられる框とからそれぞれ構成され、
前記外窓の框の内側縁部の見切り、前記外窓を支持する外窓枠の内側縁部の見切り、前記内窓の框の内側縁部の見切り、及び前記額縁の内側縁部の見切りが水平方向において重畳される請求項５、６、又は７に記載の二重窓構造体。
【請求項９】
前記内窓の外縁部が収納される前記額縁の内側凹部に、止水部材が備えられた請求項５から８のいずれか１項に記載の二重窓構造体。
【請求項１０】
前記額縁は、室内アングルと一体化されている請求項５から９のいずれか１項に記載の二重窓構造体。
【請求項１１】
前記額縁は、前記建築物の躯体である窓台に、直接又は中間部材を介して間接的に載置される請求項５から１０のいずれか１項に記載の二重窓構造体。
【請求項１２】
前記窓台の鉛直上に前記内窓が配置され、前記内窓の全ての荷重点が、前記窓台の上面に位置される請求項１１に記載の二重窓構造体。
【請求項１３】
前記額縁が樹脂製である請求項５から１２のいずれか１項に記載の二重窓構造体。
【請求項１４】
前記額縁の内部には、複数の空間部が隔壁を介して備えられる請求項５から１３のいずれか１項に記載の二重窓構造体。
【請求項１５】
前記額縁と室内アングルとが樹脂製であって一体化されている請求項５から１４のいずれか１項に記載の二重窓構造体。
【請求項１６】
前記外窓及び前記内窓のガラス板は、それぞれ複層ガラスである請求項５から１５のいずれか１項に記載の二重窓構造体。
【発明の詳細な説明】
【技術分野】
【０００１】
本発明は、額縁構造体及び二重窓構造体に関する。
【背景技術】
【０００２】
建築物の外壁として窓ガラスを使用する場合には、室内の冷暖房の効率を高めるために、所定の断熱性能（熱貫流率：Ｕ値（JIS R3107:1998））が要求される。このため、近年では、単板のガラス板と比較して断熱性が高くＵ値が低い複層ガラスが、窓ガラスのガラス板として使用される傾向にある。
【０００３】
特許文献１の複層ガラスは、厚さがそれぞれ異なる３枚のガラス板の少なくとも１枚に、低放射膜をコーティングするとともに、空気よりも熱伝導率が小さいクリプトンガス、アルゴンガス等の不活性ガスを複層ガラスの中空層に封入することによって、断熱性及び遮音性を向上させている。
【０００４】
特許文献２には、既設の外窓を備えた既設の窓に、新設の内窓を後付けした引き違い窓の二重窓構造体が開示されている。特許文献２の外窓の窓枠には、室内側に延出された室内アングル部材（取付片）が備えられ、室内アングル部材に額縁が固定具によって取り付けられる。また、額縁には、内窓の障子を支持する窓枠が設けられ、この窓枠のレールに内窓の障子が摺動自在に係合されている。
【０００５】
更に、特許文献２には、内窓を支持する補強部材（下枠アタッチメント）が額縁に取り付けられることによって、内窓の重量による額縁の変形が防止されている。なお、室内アングル部材とは、建築物の窓用開口部に外窓の窓枠を取り付けるために、室内側に設けられた見切り部材のことをいう。
【先行技術文献】
【特許文献】
【０００６】
【特許文献１】特開２００５−６０１４１号公報
【特許文献２】特開２０１１−２３１５０６号公報
【発明の概要】
【発明が解決しようとする課題】
【０００７】
しかしながら、特許文献２の引き違い窓の二重窓構造体は、レールが取り付けられた窓枠を額縁に取り付ける構造体なので、見付け寸法が額縁、窓枠、及び框のそれぞれの見付けを合算した寸法になり大きくなる。よって、特許文献２の二重窓構造体は、窓の採光面積が小さくなるので眺望性が悪くなり、かつ施工の手間も増えるという欠点があった。
【０００８】
本発明は、このような事情に鑑みてなされたもので、窓の採光面積が大きく、かつ施工性に優れた額縁構造体及び二重窓構造体を提供することを目的とする。
【課題を解決するための手段】
【０００９】
本発明の一態様は、前記目的を達成するために、建築物の窓用開口部に設置される額縁に、前記窓用開口部に備えられる窓の開閉用レールが備えられたことを特徴とする額縁構造体を提供する。
【００１０】
本発明の一態様によれば、窓の開閉用レールを額縁に備えている。すなわち、本発明の一態様は、窓枠を省き、窓枠に本来備えられる開閉用レールを額縁に備えた。これにより、本発明の一態様の見付け寸法は、特許文献２の額縁構造体の見付け寸法よりも小さくなる。よって、本発明の一態様は、特許文献２の額縁構造体と比較して窓の採光面積が大きくなるので、眺望性が良好となる。また、窓枠を使用しないので部材点数を削減でき、かつ額縁に窓枠を設置する作業が無くなるので施工性も向上する。
【００１１】
本発明の一態様の前記額縁は、前記建築物の躯体である窓台に、直接又は中間部材を介して間接的に載置されることが好ましい。
【００１２】
本発明の一態様によれば、窓台に額縁を直接載置することによって、窓台と額縁との間の隙間に詰める中間部材を削減できる。また、額縁の下部に予め中間部材を取り付けておき、中間部材を介して額縁を窓台に載置してもよい。これにより、中間部材を後付けする手間を削減でき、かつ後付け時に生じる中間部材のずれも防止できるので耐震性が向上する。
【００１３】
本発明の一態様は、前記額縁が樹脂製であることが好ましい。
【００１４】
額縁としては、従来から中密度繊維板（MDF：medium density fiberboard）製のものが一般的に使用されているが、本発明の一態様は、中密度繊維板に代えて樹脂製（例えば、ポリ塩化ビニル：PVC）の額縁を提供する。これにより、中密度繊維板では困難な薄肉化を達成できる。すなわち、樹脂製の額縁であれば、建築物の２本の柱の間（規定寸法：１６９０ｍｍ）に配置される額縁の厚さを中密度繊維板よりも薄肉化できるため、中密度繊維板製の額縁と比較して、窓の採光面積を大きくとることができる。また、額縁が樹脂製であれば、押し出し成形や射出成形等の製法によって、レールを額縁に一体成形できるので、レールを額縁に後付けする手間を省くことができる。
【００１５】
本発明の一態様は、前記額縁の内部には、複数の空間部が隔壁を介して備えられることが好ましい。
【００１６】
本発明の一態様は、額縁の断熱性を向上させるために、額縁の内部に隔壁を介して複数の空間部を備えている。空間部の幅寸法、つまり空気層の水平方向の幅寸法は１６ｍｍ以下とすることが好ましい。１６ｍｍを超えると空間部に熱滞留が生じて断熱性が損なわれる場合があるからである。
【００１７】
本発明の一態様は、前記目的を達成するために、建築物の窓用開口部に備えられる外窓と、前記窓用開口部に備えられるとともに前記外窓に対して前記建築物の室内側に備えられる内窓と、を備えた二重窓構造体において、前記窓用開口部の前記建築物の室内側に設置される額縁に、前記内窓の開閉用レールが備えられたことを特徴とする二重窓構造体を提供する。
【００１８】
本発明の一態様は、引き違い窓の二重窓構造体において、建築物の室内側に設置される額縁に、内窓の開閉用レールを備えさせた。すなわち、本発明の一態様は、内窓の窓枠を省き、内窓の窓枠に備えられていた開閉用レールを額縁に備えさせた。これにより、本発明の一態様は、内窓を備えた特許文献２の二重窓構造体の見付け寸法よりも小さくなる。よって、本発明の一態様は、特許文献２の二重窓構造体と比較して窓の採光面積が大きくなるので、眺望性が良好となる。また、内窓の窓枠を使用しないので部材点数を削減でき、かつ内窓の窓枠を額縁に設置する作業が無くなるので施工性も向上する。
【００１９】
本発明の一態様は、前記目的を達成するために、建築物の窓用開口部に備えられる外窓と、前記窓用開口部に備えられるとともに前記外窓に対して前記建築物の室内側に備えられる内窓とを備えた二重窓構造体において、前記外窓を支持する外窓枠に取り付けられるとともに前記建築物の室内側に備えられる額縁に、前記内窓の開閉用レールが備えられたことを特徴とする二重窓構造体を提供する。
【００２０】
本発明の一態様によれば、引き違い窓の二重窓構造体において、外窓を支持する外窓枠に、内窓の開閉用レールを備えた額縁を取り付けた。外窓枠に額縁を取り付けることによって、額縁を躯体に取り付ける施工方法よりも施工が容易になる。また、施工前に額縁を外窓枠に予め取り付けておけば、外窓枠の施工時に額縁を同時に施工できるので、二重窓構造体の施工が更に容易になる。なお、額縁に開閉用レールを備えた効果は上述の通りである。
【００２１】
本発明の一態様は、前記目的を達成するために、建築物の窓用開口部に備えられる外窓と、前記窓用開口部に備えられるとともに前記外窓に対して前記建築物の室内側に備えられる内窓とを備えた二重窓構造体において、前記外窓を支持する外窓枠に一体化されるとともに前記建築物の室内側に備えられる額縁に、前記内窓の開閉用レールを備えたことを特徴とする二重窓構造体を提供する。
【００２２】
本発明の一態様によれば、引き違い窓の二重窓構造体において、外窓を支持する外窓枠に、内窓の開閉用レールを備えた額縁を一体化させた。これにより、外窓枠の施工時に額縁を同時に施工できるので、二重窓構造体の施工が容易になる。なお、額縁に開閉用レールを備えた効果は上述の通りである。
【００２３】
本発明の一態様は、前記外窓及び前記内窓は、ガラス板とガラス板の四辺に取り付けられる框とからそれぞれ構成され、前記外窓の框の内側縁部の見切り、前記外窓を支持する外窓枠の内側縁部の見切り、前記内窓の框の内側縁部の見切り、及び前記額縁の内側縁部の見切りが水平方向において重畳されることが好ましい。
【００２４】
本発明の一態様によれば、外窓の框、外窓枠、及び内窓の框のそれぞれのフレームラインが額縁に隠れて見えないフレームイン構造なので、内窓を設けても外窓の眺望性を維持できる。また、二重窓構造体を室内側からみると、ガラス板があたかも額縁に嵌め込まれたように見えるので、二重窓構造体の外観意匠性も向上する。
【００２５】
本発明の一態様は、前記内窓の外縁部が収納される前記額縁の内側凹部に、止水部材が備えられたことが好ましい。
【００２６】
本発明の一態様によれば、室外側から室内側に浸入する水分を止水部材によって抑制できる。
【００２７】
本発明の一態様は、前記額縁は室内アングル部材と一体化されていることが好ましい。
【００２８】
本発明の一態様によれば、額縁が室内アングル部材と一体化されているので、二重窓構造体の施工性が向上する。
【００２９】
本発明の一態様の前記額縁は、前記建築物の躯体である窓台に、直接又は中間部材を介して間接的に載置されることが好ましい。
【００３０】
本発明の一態様は、前記窓台の鉛直上に前記内窓が配置され、前記内窓の全ての荷重点が、前記窓台の上面に位置されることが好ましい。
【００３１】
内窓の荷重点は、額縁の室外側に位置する外側レールの直下に存在する室外側荷重点と、額縁の室内側に位置する内側レールの直下に存在する室内側荷重点とが存在する。本発明の一態様によれば、その２点の荷重点を窓台の上面に位置させているので、特許文献２の二重窓構造体で使用する補強部材は不要となる。よって、本発明の一態様によれば、部材点数を削減でき、かつ二重窓構造体の施工が容易になる。なお、特許文献２の二重窓構造体では、室外側荷重点は窓台の上面に位置しているが、室内側荷重点は、窓台の鉛直上に位置しておらず、窓台から室内側にずれた位置に位置している。
【００３２】
本発明の一態様は、前記額縁が樹脂製であることが好ましい。
【００３３】
本発明の一態様は、前記額縁の内部には、複数の空間部が隔壁を介して備えられることが好ましい。
【００３４】
本発明の一態様は、前記額縁と室内アングルとが樹脂製であって一体化されていることが好ましい。
【００３５】
本発明の一態様によれば、外窓枠を建築物の躯体に取り付けるために、外窓枠の室内側に設けられた室内アングル部材と額縁とを樹脂製として一体化させたので、施工性がより一層向上する。
【００３６】
本発明の一態様は、前記外窓及び前記内窓のガラス板は、それぞれ複層ガラスであることが好ましい。
【００３７】
本発明の一態様によれば、ガラス板として複層ガラスを採用することにより、断熱性及び遮音性が向上する。
【発明の効果】
【００３８】
以上説明したように本発明によれば、窓の採光面積を大きくとることができるとともに、施工性のよい額縁構造体及び二重窓構造体を提供できる。
【図面の簡単な説明】
【００３９】
【図１】第１の実施形態の額縁構造体の縦断面図
【図２】図１に示した額縁構造体の横断面図
【図３】第２の実施形態の額縁構造体の縦断面図
【図４】図３に示した額縁構造体の横断面図
【図５】第３の実施形態の額縁構造体の横断面図
【図６】二重窓構造体の基本的構成を示した斜視図
【図７】第１の実施形態の二重窓構造体の縦断面図
【図８】図７に示した二重窓構造体の横断面図
【図９】第２の実施形態の二重窓構造体の縦断面図
【図１０】図９に示した二重窓構造体の横断面図
【図１１】第３の実施形態の二重窓構造体の縦断面図
【図１２】図１１に示した二重窓構造体の横断面図
【図１３】額縁の縦溝に嵌入される止水部材を示した斜視図
【図１４】窓台に額縁が中間部材を介して載置された額縁構造体の要部正面図
【図１５】第４の実施形態の二重窓構造体の縦断面図
【図１６】図１５に示した二重窓構造体の横断面図
【図１７】第５の実施形態の二重窓構造体の縦断面図
【図１８】図１７に示した二重窓構造体の横断面図
【発明を実施するための形態】
【００４０】
以下、添付図面に従って本発明に係る額縁構造体及び二重窓構造体の好ましい実施の形態について説明する。
【００４１】
《額縁構造体》
〔第１の実施形態の額縁構造体１０の構成〕
図１は、第１の実施形態の額縁構造体１０の縦断面図、図２は、額縁構造体１０の横断面図である。この額縁構造体１０は、建築物１２の窓用開口部１４に取り付けられる、引き違い窓に適用された構造体である。
【００４２】
額縁構造体１０は、ガラス板１６と四方枠を構成する框１８とからなる室内側の障子２０、及びガラス板２２と四方枠を構成する框２４とからなる室外側の障子２６を備える。実施形態のガラス板としては、単板のガラス板を用いてもよいが、断熱性及び遮音性を向上させる観点から周知構成の複層ガラスを使用することが好ましい。以下述べる実施形態のガラス板についても同様である。また、後述の二重窓構造体においては、室外側に配置される外窓と室内側に配置される内窓の双方のガラス板を複層ガラスとしてもよい。
【００４３】
図１の如く、建築物１２の窓用開口部１４には、中密度繊維板（MDF：medium density fiberboard）によって製造された額縁２８が取り付けられる。額縁２８は、その下辺部が窓台３０に固定される。すなわち、窓用開口部１４に釘３２を介して窓台３０に固定される枠状の取付片３４の凹状嵌合部３６に、額縁２８の下辺凸部３８が嵌合されて、額縁２８の下辺部が窓台３０に固定される。
【００４４】
また、額縁２８は、その上辺部がまぐさ４０に固定される。すなわち、窓用開口部１４に釘３２を介してまぐさ４０に固定される取付片３４の凹状嵌合部４２に、額縁２８の上辺凸部４４が嵌合されて、額縁２８の上辺部がまぐさ４０に固定される。
【００４５】
更に、図２の如く額縁２８は、その両側の縦辺部が柱４６、４６に固定される。すなわち、窓用開口部１４に釘３２を介して柱４６に固定される取付片３４の凹状嵌合部４８に、額縁２８の縦辺凸部５０が嵌合されて、額縁２８の縦辺部が柱４６、４６に固定される。
【００４６】
〔第１の実施形態の額縁構造体１０の特徴〕
図１の如く額縁２８には、障子２０、２６の開閉用の上レール５２と下レール５４とが備えられる。上レール５２は、木ねじ５６によって額縁２８の上辺部に固定され、障子２０、２６のそれぞれの框１８、２４の上辺部が摺動自在に係合されている。また、下レール５４は、木ねじ５８によって額縁２８の下辺部に固定され、障子２０、２６のそれぞれの框１８、２４の下辺部に取り付けられた戸車６０、６０が下レール５４に係合されている。上レール５２、下レール５４は金属製であっても硬質の樹脂製であってもよい。
【００４７】
第１の実施形態の額縁構造体１０によれば、前述の如く、障子２０、２６の上レール５２、下レール５４が額縁２８に備えられている。すなわち、この額縁構造体１０は、窓枠を省き、窓枠に本来取り付けられる上レール５２、下レール５４が額縁２８に取り付けられている。これにより、額縁構造体１０によれば、額縁と窓枠を備えた特許文献２の額縁構造体の見付け寸法よりも小さくなる。
【００４８】
よって、額縁構造体１０は、特許文献２の額縁構造体と比較して窓の採光面積が大きくなるので、眺望性が良好となる。また、窓枠を使用しないので部材点数を削減でき、かつ額縁２８に窓枠を設置する作業が無くなるので施工性も向上する。
【００４９】
一方で、額縁２８は、窓台３０に直接載置されて固定されているので、窓台３０と額縁２８との間の隙間に詰める中間部材を削減できる。なお、額縁２８の下部に予め中間部材（不図示）を取り付けておき、中間部材を介して額縁２８を窓台３０に載置してもよい。これにより、中間部材を後付けする手間を削減でき、かつ後付け時に生じる中間部材のずれも防止できるので耐震性が向上する。
【００５０】
なお、図１、図２において、符号６２はモルタル壁等の外壁、符号６４はメタルラス、符号６６は防水テープ、符号６８は水切り、符号７０は合板、符号７２は石膏ボード、符号７４は壁紙である。以下に記載する他の実施形態においても、図１、図２に示した額縁構造体１０と同一又は類似の部材については同一の符号を付し、その詳細な説明は省略する。
【００５１】
〔第２の実施形態の額縁構造体８０の構成〕
図３は、第２の実施形態の額縁構造体８０の縦断面図、図４は、額縁構造体８０の横断面図である。
【００５２】
額縁構造体８０の額縁８２は、樹脂製（例えば、ポリ塩化ビニル：PVC）である。額縁８２は、押し出し成形又は射出成形により製造された板状体を、枠状に接合することによって構成される。
【００５３】
額縁８２の上辺部には、凹状の上レール８４が額縁８２と一体に備えられている。また、額縁８２の下辺部には、下レール８６が備えられている。下レール８６は、額縁８２と一体成形することで額縁８２に備えさせてもよいが、樹脂製ではなく金属製の場合には、接着剤又は木ねじ等の接合手段を利用して額縁８２に取り付けることが好ましい。
【００５４】
この額縁８２は、内部に複数の断面形状の異なる空間８８、８８…が備えられ、軽量化及び断熱性の向上が計られている。
【００５５】
〔第２の実施形態の額縁構造体８０の特徴〕
額縁８２が樹脂製なので、中密度繊維板では困難な薄肉化を達成できる。すなわち、図４に示した２本の柱４６、４６の間（規定寸法：１６９０ｍｍ）に配置される額縁８２の厚さを中密度繊維板の額縁２８（図１、図２参照）よりも薄肉化できる。このため、額縁２８を使用するよりも、窓の採光面積を大きくとることができる。また、額縁８２が樹脂製であれば、上レール８４、下レール８６を額縁８２と一体成形できるので、上レール８４、下レール８６を額縁８２に後付けする手間を省くことができる。
【００５６】
〔第３の実施形態の額縁構造体９０の構成〕
図５は、第３の実施形態の額縁構造体９０の横断面図である。額縁構造体９０の縦断面図は、図３と略同一なので、ここでは省略する。
【００５７】
額縁構造体９０の額縁９２は、樹脂製（例えばPVC）であり、その内部には、複数の空間部９４、９４…が隔壁９６、９６…を介して備えられる。
【００５８】
〔第３の実施形態の額縁構造体９０の特徴〕
額縁９２の内部に隔壁９６を介して複数の空間部９４、９４…を備えることにより、額縁９２の断熱性を向上させている。空間部９４の幅寸法、つまり空気層の水平方向の幅寸法は１６ｍｍ以下とすることが好ましい。１６ｍｍを超えると空間部９４に熱滞留が生じて断熱性が損なわれる場合があるからである。
【００５９】
以上が額縁構造体１０、８０、９０の実施形態である。
【００６０】
《二重窓構造体》
以下述べる実施形態の二重窓構造体は、外窓と内窓とからなる。そして、内窓の構造体として、図１〜図５で説明した第１〜第３の額縁構造体１０、８０、９０が採用される。よって、以下述べる二重窓構造体において、内窓の構造体を説明する際には、第１〜第３の額縁構造体１０、８０、９０で用いた符号を付し、その詳細な説明は省略する。
【００６１】
〔二重窓構造体の基本構成〕
図６は、二重窓構造体１００の基本構成を示した斜視図である。
【００６２】
二重窓構造体１００は、二点鎖線で示す建築物１２の窓用開口部１４に設けられた外窓１０６と内窓１０８とから構成される。内窓１０８は、外窓１０６に対して建築物１２の室内側に配置され、かつ外窓１０６に空気層１１０を介して隔置される。
【００６３】
外窓１０６の２枚のガラス板１１２は複層ガラスであり、内窓１０８の２枚のガラス板１６、２２も同様に複層ガラスである。なお、ガラス板としては複層ガラスに限定されるものではないが、複層ガラスを使用することにより、単板のガラス板よりも断熱性及び遮音性が向上するので好ましい。
【００６４】
外窓１０６は、引き違い窓である。外窓１０６のガラス板１１２の周縁部に、樹脂製のグレージングチャンネル（不図示）を介して金属製の框１１４が取り付けられることによって障子が構成されている。框１１４が外窓枠のレールに摺動自在に支持されることにより、外窓１０６が引き違い窓に構成される。
【００６５】
内窓１０８も外窓１０６と同様に引き違い窓である。なお、図６では、外窓１０６及び内窓１０８を施錠するクレセントは図示を省略している。また、二重窓構造体１００のガラス板として、一般的なソーダライムガラスを採用できるが、耐熱防火性ガラス（例えば、網入りガラス、耐熱強化ガラス、低膨張強化ガラス、透明結晶化ガラス等）を使用すれば、防火性能が向上する。
【００６６】
〔第１の実施形態の二重窓構造体１２０の構成〕
図７は、第１の実施形態の二重窓構造体１２０の縦断面図、図８は、二重窓構造体１２０の横断面図である。
【００６７】
二重窓構造体１２０には、図１、図２に示した額縁構造体１０が適用される。また、額縁２８の室外側端部には、外窓枠１２２が木ねじ１２４によって固定されている。この外窓枠１２２のレールに図６に示した外窓１０６が取り付けられる。なお、外窓枠１２２に対する額縁２８の固定形態は、建築物１２に対して先付けされている外窓枠１２２に、額縁２８を木ねじ１２４によって後付けする形態である。
【００６８】
更に、額縁２８は、中間部材１２６を介して窓台３０に載置されている。中間部材１２６は、図１４の如く複数本の調整材１４８と、調整材１４８の間に装填される断熱材１５０とから構成される。なお、中間部材１２６を介在させることなく、額縁２８を窓台３０に直接載置してもよい。
【００６９】
〔第１の実施形態の二重窓構造体１２０の特徴〕
図７、図８の二重窓構造体１２０は、内窓１０８の額縁２８に内窓１０８のレール５２、５４が備えられている。よって、窓枠と額縁とを備えた構造の特許文献２の二重窓構造体の見付け寸法よりも小さくなる。したがって、二重窓構造体１２０によれば、特許文献２の二重窓構造体と比較して窓の採光面積が大きくなるので、眺望性が良好となる。また、内窓１０８の窓枠を使用しないので部材点数を削減でき、かつ内窓１０８の窓枠を額縁２８に設置する作業が無くなるので施工性も向上する。
【００７０】
〔第２の実施形態の二重窓構造体１３０の構成〕
図９は、第２の実施形態の二重窓構造体１３０の縦断面図、図１０は、二重窓構造体１３０の横断面図である。
【００７１】
二重窓構造体１３０には、図１、図２に示した額縁構造体１０が適用される。また、額縁構造体１０の額縁２８が、外窓枠１３２に一体的に取り付けられている。
【００７２】
すなわち、外窓枠１３２に一体的に設けられた室内アングル部材１３４に、額縁２８の下辺凸部３８、上辺凸部４４、縦辺凸部５０をそれぞれ嵌合させて取り付けることにより、額縁２８が外窓枠１３２に一体化されている。
【００７３】
〔第２の実施形態の二重窓構造体１３０の特徴〕
二重窓構造体１３０は、前述した額縁２８による効果の他に、額縁２８が外窓枠１３２と一体化されているので、窓用開口部１４に外窓枠１３２を取り付ける施工時に額縁２８を同時に施工できる。よって、二重窓構造体１３０の施工が容易になる。なお、室内アングル部材１３４を介して額縁２８を外窓枠１３２と一体化させたが、双方を一体化させる部材は室内アングル部材１３４に限定されるものではない。すなわち、額縁２８を外窓枠１３２に一体化させることが可能な部材であればよい。
【００７４】
〔第３の実施形態の二重窓構造体１４０の構成〕
図１１は、第３の実施形態の二重窓構造体１４０の縦断面図、図１２は、二重窓構造体１４０の横断面図である。
【００７５】
二重窓構造体１４０は、二重窓構造体１３０と同様に、額縁２８が外窓枠１４２に一体的に取り付けられている。また、二重窓構造体１４０によれば、外窓１０６の框１１４の内側縁部１１５の見切り、外窓枠１４２の内側縁部１４３の見切り、内窓１０８の框１８、２４の内側縁部１９、２５の見切り、及び額縁２８の内側縁部２９の見切りが水平方向において重畳されている。
【００７６】
〔第３の実施形態の二重窓構造体１４０の特徴〕
二重窓構造体１４０は、前述した額縁２８による効果、及び額縁２８が外窓枠１４２と一体化されている効果の他に、外窓１０６の框１１４、外窓枠１４２、及び内窓１０８の框１８、２４のそれぞれの内側縁部１１５、１４３、１９、２５（フレームラインとも言う。）が額縁２８に隠れて見えないフレームイン構造となっている。
【００７７】
フレームイン構造によれば、内窓１０８を設けても外窓１０６の眺望性を維持できる。また、二重窓構造体１４０を室内側からみると、外窓１０６及び内窓１０８の双方のガラス板があたかも額縁２８に嵌め込まれたように見えるので、二重窓構造体１４０の外観意匠性も向上する。
【００７８】
図１３は、額縁２８の縦溝（内側凹部）１４４の上部（額縁２８の上端の上部）及び下部（額縁２８の下端の下部）に嵌入される止水部材１４６が示されている。
【００７９】
止水部材１４６は、角柱状の硬質樹脂材の基部１４７Ａの表面に止水パッキン１４７Ｂが取り付けられて構成される。このような止水部材１４６を、内窓１０８の縦框（内窓の外縁部）が入り込む、額縁２８の縦溝１４４の上部及び下部に嵌入することにより、室外側から室内側に浸入する水分を止水部材１４６によって抑制できる。
【００８０】
図１４は、窓台３０に額縁２８が中間部材１２６と飼い木１２７を介して載置された額縁構造体の要部正面図である。中間部材１２６は、先にも述べたように、複数本の調整材１４８と、調整材の間に装填される断熱材１５０とから構成される。中間部材１２６を予め額縁２８に取り付けておくことで、中間部材１２６を窓台３０に後付けする手間を削減でき、かつ後付け時に生じる中間部材１２６のずれも防止できるので耐震性が向上する。
【００８１】
〔第４の実施形態の二重窓構造体１６０の構成〕
図１５は、第４の実施形態の二重窓構造体１６０の縦断面図、図１６は、二重窓構造体１６０の横断面図である。
【００８２】
二重窓構造体１６０には、図３、図４に示した樹脂製の額縁８２が適用されているが、図５に示した額縁９２を適用してもよい。
【００８３】
二重窓構造体１６０も同様に、外窓枠１６２に額縁８２（９２）が一体的に取り付けられている。また、二重窓構造体１６０は、窓台３０の鉛直上に内窓１０８が配置され、内窓１０８の全ての荷重点Ａ、Ｂが、窓台３０の上面に位置されている。荷重点Ａ、Ｂとは、下レール８６の戸車６０、６０が係合される直下の位置である。
【００８４】
〔第４の実施形態の二重窓構造体１６０の特徴〕
二重窓構造体１６０は、前述した樹脂製の額縁８２による効果、額縁９２の空間部９４の効果、及び額縁８２が外窓枠１４２と一体化されている効果を有する。また、それらの効果の他に、内窓１０８の全ての荷重点Ａ（室外側荷重点）、荷重点（室内側荷重点）Ｂを、窓台３０の上面に位置させているので、特許文献２の二重窓構造体で使用する補強部材は不要となる。よって、二重窓構造体１６０によれば、部材点数を削減でき、かつ施工が容易になる。なお、特許文献２の二重窓構造体では、室外側荷重点は窓台の上面に位置しているが、室内側荷重点は、窓台の鉛直上に位置しておらず、窓台から室内側にずれた位置に位置している。
【００８５】
〔第５の実施形態の二重窓構造体１７０の構成〕
図１７は、第５の実施形態の二重窓構造体１７０の縦断面図、図１８は、二重窓構造体１７０の横断面図である。
【００８６】
二重窓構造体１７０には、図３、図４に示した樹脂製の額縁８２が適用されているが、図５に示した額縁９２を適用してもよい。
【００８７】
二重窓構造体１７０は、外窓枠１７２に取り付けられる室内アングル部材１７４が、額縁８２と同質の樹脂製であり、額縁８２と室内アングル部材１７４とが係合部１７６において係合されて一体化されている。係合形態は、凹部と凸部とによる嵌合形態の他、双方を一体化可能な形態であればよい。
【００８８】
〔第５の実施形態の二重窓構造体１７０の特徴〕
二重窓構造体１７０によれば、外窓枠１７２を建築物１２の窓用開口部１４に取り付けるために、外窓枠１７２の室内側に設けられた室内アングル部材１７４と額縁８２とを樹脂製として一体化させたので、軽量となり、施工性がより一層向上する。
【００８９】
以上、本発明に係る額縁構造体及び二重窓構造体について詳細に説明したが、本発明は、以上の例には限定されず、本発明の要旨を逸脱しない範囲において、各種の改良や変形を行ってもよいのはもちろんである。
【符号の説明】
【００９０】
１０…額縁構造体、１２…建築物、１４…窓用開口部、１６…ガラス板、１８…框、１９…内側縁部、２０…障子、２２…ガラス板、２４…框、２５…内側縁部、２６…障子、２８…額縁、２９…内側縁部、３０…窓台、３２…釘、３４…取付片、３６…凹状嵌合部、３８…下辺凸部、４０…まぐさ、４２…凹状嵌合部、４４…上辺凸部、４６…柱、４８…凹状嵌合部、５０…縦辺凸部、５２…上レール、５４…下レール、５６、５８…木ねじ、６０…戸車、６２…外壁、６４…メタルラス、６６…防水テープ、６８…水切り、７０…合板、７２…石膏ボード、７４…壁紙、８０…額縁構造体、８２…額縁、８４…上レール、８６…下レール、８８…空間、９０…額縁構造体、９２…額縁、９４…空間部、９６…隔壁、１００…二重窓構造体、１０６…外窓、１０８…内窓、１１０…空気層、１１２…ガラス板、１１４…框、１１５…内側縁部、１２０…二重窓構造体、１２２…外窓枠、１２４…木ねじ、１２６…中間部材、１２７…飼い木、１３０…二重窓構造体、１３２…外窓枠、１３４…室内アングル部材、１４０…二重窓構造体、１４２…外窓枠、１４３…内側縁部、１４４…縦溝、１４６…止水部材、１４７Ａ…基部、１４７Ｂ…止水パッキン、１４８…調整材、１５０…断熱材、１６０…二重窓構造体、１６２…外窓枠、１７０…二重窓構造体、１７２…外窓枠、１７４…室内アングル部材、１７６…係合部
【図１】
2014201995.tif 000003
【図２】
2014201995.tif 000004
【図３】
2014201995.tif 000005
【図４】
2014201995.tif 000006
【図５】
2014201995.tif 000007
【図６】
2014201995.tif 000008
【図７】
2014201995.tif 000009
【図８】
2014201995.tif 000010
【図９】
2014201995.tif 000011
【図１０】
2014201995.tif 000012
【図１１】
2014201995.tif 000013
【図１２】
2014201995.tif 000014
【図１３】
2014201995.tif 000015
【図１４】
2014201995.tif 000016
【図１５】
2014201995.tif 000017
【図１６】
2014201995.tif 000018
【図１７】
2014201995.tif 000019
【図１８】
2014201995.tif 000020